(57)【要約】それに引きロープ又はケーブルをしっかり固定するためのほぐれた領域（１１８）を含む抄紙機上に継ぎ合わせることが可能な抄紙布（１１２）を引き付けるのに用いる索導器（１００、２００）。
2005530933.tif 000002
【特許請求の範囲】
【請求項１】
機械に直交する方向のその幅にわたって先導端部を持っている抄紙機布の設置のための索導器を差し入れる布において、前記索導器は次を含む：
幅を持っている中央部分；
中央部分に連結した後部部分；
前記中央部分と前記後部部分の間に位置した第１のほぐれた領域は、その上に引き付ける目的のためにロープ又はケーブルが前記後部部分に関して位置することを可能にし；かつ
布の先導端部に前記索導器を取り付けるための手段。
【請求項２】
取り付けるのための前記手段は、後部部分に対向した中央部分の側面に位置する第２のほぐれた領域を含む請求項１に記載の索導器装置を差し入れる布。
【請求項３】
前記中央部分に前記正面部分を連結させる前記第２のほぐれた領域を備えた正面部分を含む請求項２に記載の索導器装置を差し入れる布。
【請求項４】
前記第１のほぐれた領域が中央部分の幅に展開する請求項１に記載の索導器装置を差し入れる布。
【請求項５】
前記第２のほぐれた領域が中央部分の幅に展開する請求項２に記載の索導器装置を差し入れる布。
【請求項６】
前記第２のほぐれた領域が中央部分の幅に展開する請求項４に記載の索導器装置を差し入れる布。
【請求項７】
中央部分の幅が本質的に先導端部の幅である請求項１に記載の索導器装置を差し入れる布。
【請求項８】
取り付けるのための手段はジッパーを含み、２分の１は先導端部上にあり、また２分の１は中央部分上にある請求項１に記載の索導器装置を差し入れる布。
【請求項９】
前記第１のほぐれた領域が中央部分の幅に展開する請求項８に記載の索導器装置を差し入れる布。
【請求項１０】
中央部分の幅が本質的に先導部分である請求項９に記載の索導器装置を差し入れる布。
【請求項１１】
中央部分の幅が本質的に先導部分である請求項６に記載の索導器装置を差し入れる布。
【発明の詳細な説明】
【技術分野】
【０００１】
本発明は、抄紙機上に継ぎ合わせることが可能な抄紙機布を引き付けるのに使用する、特に耐久性があり、その再使用が可能な索導器に関する。
【背景技術】
【０００２】
現代の抄紙機中の布は、５から３３フィート以上の幅、４０から４００フィート以上の長さ、またおよそ１００から３，０００ポンド以上の重量、を有しているかもしれない。これらの布は摩耗し、そして交換を要求される。布の交換は、機械の使用停止をとり、摩耗した布を取り除き、布を設置するためにセットアップし、そして新しい布の設置をしばしば含んでいる。多くの布がエンドレスであると同時に、それらのおよそ半分は今日の機械上で継ぎ合わせ可能な抄紙機のプレスセクション中で使用される。全ての乾燥した布の使用は、全てあるタイプの継ぎ目を持っている。いくつかの製紙工業製法ベルト（ＰＩＰＢｓ）は、商標名：トランスベルト（Ｔｒａｎｓｂｅｌｔ）と知られている、いくつかのトランスファ・ベルトのような機械上で継ぎ合わせ能力を持つことを意図している。布の設置は機械上に布本体を引き付けることとエンドレスベルトを形成するために布両端を結合することを含んでいる。
【０００３】
抄紙機上に布本体を差し入れる重要な様相は、布にわたっての均一の張力である。均一の張力が達成されず、布の１つのセクションが別のもの以上に引く場合、その後布は布の幅にわたり膨らみ部あるいは隆起部ができる。
【０００４】
布本体を差し入れる別の様相は、布本体継ぎ目への損傷を防ぐことである。設置中に継ぎ目への損傷を回避するか最小限にするために、継ぎ目自体の上で張力、重量及び圧力を回避しなければならない。
【０００５】
布を差し入れる更なる様相は、特に非常に長いいくつかのものが、正確に機械方角（ＭＤ）へ、かつふらつかず又は機械の一方の側面へ軌道させず、布をガイドするように、適切に機械中の布本体を整列させる。布のガイドあるいは軌道が貧弱の場合、抄紙機を支えるフレームとの接触を生じ、そして布損傷を引き起こすことがある。
【０００６】
抄紙機上で共に結合することができる継ぎ目を備えた布及びベルトについては、様々なタイプの索導器が設置を補助するために試みられた。布本体及び設置と操作の間に機械を損傷する可能性を回避する又は最小限にするために、布本体にわたって均一の張力があるように索導器は設計されるべきである。そのような索導器を設計するいくつかの試みがあった。用語“索導器”及び“ハーネス”がしばしば互いに取り替え可能で使用されたことは、この時点で注目されるかもしれない。かつて現実に、索導器はハーネスにくっつけられ、またハーネスは索導器にくっつけられた。
【０００７】
両方ともＲｈｙｎｅの特許文献１及び特許文献２は、抄紙機上に布本体を設置するための装置及び方法について述べた。この方法は、先導端部と空の索環の多くが一定間隔で先導端部に隣接して配置された自動調節の布の差し入れハーネスを提供することを含んでいて、多数のロープが付けられ、差し入れハーネスとライン受取装置を通じて引きロープをしっかり固定して、引きロープを引き付け、また、布にわたって均一な張力を達成することを試みるための差し入れハーネスと通じて引きロープを自動的に再調整する。金属索環の使用は、労働費及び材料費の両方において比較的高価である。典型的な索導器が１つの索導器当たり平均１３個の索環を使用する。更に、索環は固定位置に位置し、それは張力変化を見越して引きロープのポジショニングを調節することを考慮に入れていない。更に、索環は完全に整列しないかもしれないし、それらが機械に落ち込む場合、非常に不利益になりうることが起こる場合がある。
【０００８】
他の索導器は、Ｊｏｈａｎｓｓｏｎの特許文献３で述べられたように、しっかりつかむための開き口を持っている布の端部へ付けられた細長い材料の形状をとる。
【０００９】
ある索導器は正方形あるいはＭＤかＣＤのいずれかへの長い寸法を備える、長方形である。多数のロープあるいは帯は索導器の幅にわたって均一に間隔を隔てた位置で索導器に付けられ、索導器に付いた抄紙機の布あるいはベルトは布の運転を通じて引かれ、また、抄紙機の布とベルトの両端は共に集められ、そして布をエンドレスにするために継ぎ目によって結合される。索導器が取り除かれ、そして布は使用準備が整う。
【００１０】
更に、台形を形成するために頂点を撤去する、二等辺三角形のように形作られ、産業中で現在使用される索導器がある。索導器は織ってある材料から作製される。更に材料は索導器が作製される不織布でありえる。索導器のベースはジッパーを持っており、抄紙機上に設置されている布の端部に索導器を付けるために使用される。機械上に布を引き付けるために１本のロープだけが頂点の近くで付けられるので、そのような設計は時々好まれる。三角形が織ってある材料から切断される場合、織ってある糸システムのうちの１つはベースから頂点へ直接に向かい、また、他方はそれに９０度の角度である。
【００１１】
図１は、従来技術の索導器１０の平面図を示す。索導器１０は二等辺三角形のように形作られ、織ってある材料から作製される。索導器１０のベース１２はジッパー端部１２の２分の１を持っていて、抄紙機上で設置する布の端部に索導器１０を付けるのに用いられ、ジッパー端部の他の半分は布又はベルトに付けられる。頂点の近くに製紙工場社員がロープを付けることができる穴１４をもたらし、そして機械上に布を引き付ける。三角形が織ってある材料から切断される場合、織ってある糸システム中のうちの１つはベースから頂点へ直接に向かい、また、他方はそれに９０度の角度である。図１ａ中で示されるようにロープが引かれる場合、側面で一箇所に集められた布本体によって布本体が付いたと同様に力は索導器にわたって不均一に配分される。
【００１２】
十分な幅の鋼棒は、よりよい重量／張力配分用の索導器のベースに挿入されてもよい。しかしながら、棒は重く、厚く、そして２つのプレスロール、又はシュー及び対向ロールによって形成されたニップを通り抜けるのが時々困難である。
【００１３】
このタイプの索導器で、三角形／台形の頂点で４フィート幅（機械に直交する方向あるいはＣＤで）の鋼の補強棒でさえ、ロープが引かれる場合、力は索導器に関して付いた布本体にわたって不均一に配分される。上記の頂点が引かれる場合、ほとんどの力は索導器の中央でＣＤ中に４フィートにわたり配分される。これは布の中央に集めさせ、それを継ぎ合わせることをより困難にさせ、またしばしば抄紙機上に引かれると同時に、布の両端あるいはベルト１６と索導器１０が１８と２０を弛ませることになる。
【００１４】
このタイプの索導器の欠点は、圧力がその中央に向かって常に集中するということである。これは索導器とそれに付けられた布の中央の両方で引き起こされ、両端を先導し、かつ機械を通り引き付ける間に中央に波形を形成し、据え付ける間の動きによって布をガイドすることと同様に継ぎ合わせることをより困難にする。布が動いて間を引かれている間、これはしばしば布の両端を弛ませる。ある布端部の弛み又は集まり／うねり（比較的水平な布側面からのある離脱）は、布が固定装置上で動けなくさせること、あるいは２つのプレスロール間で形成されたギャップを容易に通り抜けられないことを引き起こす。端部に向かってロープを挿入することにより弛むことから布と索導器の両端を修正する試みは、通常両端の丸まりと上方へ折り重なりに帰着し、それは更に望ましくない。
【００１５】
前記の機械上で継ぎ合わせることができる布又はベルトで設置している方法及び装置のタイプが特別の長所を持つと同時に、それらは更に上記で論じた欠点が付随する。
【００１６】
しかしながら、索導器装置が、抄紙機上に継ぎ合わせ可能な抄紙機布を引き付けるのに特に有効であることが見出され、Ｆａｒｇｅｏｕｔの特許文献４で述べられ、その開示は参照によってここに組込まれる。それは索導器に本質的に三角形の形状を持ち、強化する細長い部分を備えたプラスチック上塗りを施した基板をもたらす。
【００１７】
先の索導器が従来の索導器のある欠点に取り組むのに有効であると分かっていると同時に、何でも、改良あるいは有効な代替が常に望ましい。
【特許文献１】米国特許第５，３０６，３９３号明細書
【特許文献２】米国特許第５，４２９，７１９号明細書
【特許文献３】米国特許第４，７５８，３０９号明細書
【特許文献４】米国特許第６，３９８，９１５号明細書
【発明の開示】
【発明が解決しようとする課題】
【００１８】
従って発明の主な目的は、上記で言及された装置の欠点のうちのいくつかを克服することである。
【００１９】
発明の更なる目的は、容易な設置と継ぎ合わせを構成する布の上の圧力を均一に配分する抄紙機に布を設置するための装置及び方法を提供することである。
【００２０】
発明の更なる目的は、耐久性があり、繰り返し使用が可能な抄紙機に布を設置するための装置を提供することである。
【課題を解決するための手段】
【００２１】
本装置の索導器装置は、好ましくは織ってある耐久性のある材料から作製し、好ましくは機械に直交する方向に設置されている布の幅で展開するであろう。索導器は２つのほぐれた領域で構成され、索導器の幅で互いに本質的に平行になる。第１のほぐれた領域は、それに索導器の１つの側面をしっかり固定するループによってピントルの使用を備えた布の機械に直交する端部で継ぎ合わせるループあるいは他の継ぎ合わせ機構に関して配置されるであろう。
【００２２】
第２のほぐれた領域は、所望するような間隔でそれにロープ又はケーブルをしっかり固定するスペースをもたらす。これは、索環を使用しない引き付けロープあるいはケーブルの取り付けをしっかり固定することを考慮に入れて、必要な場合、使用中にそれらの位置を変えることができるので、引き付け操作中に布にわたって均一の張力を可能にするために、それらがそのように位置することを可能にする。
【００２３】
索導器が、一つは布用でもう一つは引き付けロープ用の２つのほぐれをもたらすことが好まれている一方、更に、布に索導器を付けるためのその他の手段が想像され、ジッパー配置のように使用してもよい。
【発明を実施するための最良の形態】
【００２４】
従って、本発明による、その目的と利点は実現されるであろうし、その記述は図面と共に得られるべきである。
【００２５】
最初に、図２は抄紙機のプレスセクションの側面図を示す。図３は典型的な抄紙機の乾燥セクションの側面図を示す。これらのセクション中で使用される布の軌道はそこに説明される。
【００２６】
図４及び図５では、索導器１００として説明された本発明の実施形態が示される。図が正確な縮尺率で描かれていないことは注目されるべきであり、しかし、より正確に言えば、単に本発明の方法を描くことは最も理解できる。索導器１００は形状において多少長方形で、機械上で継ぎ合わせ可能な布１１２の機械に直交する先導端部１１０に付くために細長く形成される。
【００２７】
そのような布１１０は任意のタイプでよく；機械上で継ぎ合わせ可能な、織布、不織布、薄層、螺旋形成、あるいは目的に適した他のタイプ。示されるように、布１１０は端部１１２で継ぎ合わせループ１１４であることを含んでいる。明らかに、一度だけ布１１０が適所にあるようするために、もう一つの端部（示されない）は補足的な継ぎ合わせループを持つものであり、それはそれを共にエンドレスにして結合することができる。更に、継ぎ合わせループ１１４が説明されると同時に、索導器がそれに取り付け可能な限り、目的に適したどんな継ぎ合わせ機構にも利用されてもよい。
【００２８】
今より明細に索導器１００を参照すると、それは好ましくは織ってある耐久性のある材料で作られている。それは綿、ナイロン、ポリエステル糸あるいはそれの組み合せ、あるいは目的に適した他の材料でありえる。糸は好ましくはマルチフィラメントであるが、更に単繊維、撚り単繊維、紡いだ繊維あるいはそれの任意の組み合せでありえる。織ってある材料の場合、索導器１００は、ほぐれた領域１１６とほぐれた領域１１８を含む。ほぐれた領域１１６は、およそ１”の幅で、多くの機械方向糸１２０から形成される。糸１２０は、索導器１００の中央固体布部分１２４に正面固体布部分１２２を接続する。
【００２９】
ほぐれた領域１１８は、それが引き付けロープ又はケーブル１２６を収容するので、ほぐれた領域１１６より通常多少広く、約１”から２”の幅である。同様に、それは後部固体布部分１２８に中央部分１２４を接続する。
【００３０】
ほぐれた領域１１８及び１２０は機械方向を含み、図５中で示される破線１３０によって説明されるような部分１２２、１２４及び１２８を構成する機械方向の糸のうちのいくつか又は全ての連続的な糸でもよいことは注目すべきである。更に、糸１２０は目的に適した任意の材料で作られていてもよく、部分１２２、１２４及び１２８の機械に直交する方向の糸を構成するものと異なっていてもよい。
【００３１】
より明細に図５を参照すると、布１１２に付けられた索導器１００の側面の断面図を表す。これを遂行するために、ほぐれた領域１１６は、ピントル１３２が糸１２０の上部部分１２０’と糸１２０の底部部分１２０”の間を通過することができるように、糸１２０がループを作製するような継ぎ目ループ１１４に関して配置され、布１１２に移動できるように索導器１００を付ける。索導器１００は、布１１２のちょうど機械に直交する端部１１０あるいは有効であることが十分に足りる限り、それの部分だけ、にわたって展開することができる。
【００３２】
ほぐれた領域１１８に関して、それはそれを通って通過するロープ又はケーブル１２６を受け入れる役目をするだろう、そしてその後、部分１２８に関して結ばれる。布１１２はただちに、抄紙機上に引き付けることができる。
【００３３】
その一方で好ましくはほぐれた領域１１８全体に展開することであり、あるいは本質的に全体、索導器１００の幅、に展開する必要はないこと、は注目すべきである。それは単にロープ又はケーブルを付けるためにその領域が存在するのである。これはもちろん、様々な用途における張力変化のために調節し、使用中のロープ又はケーブルの位置を変えることをある程度制限するであろう。その場合、導器１００のほぐれた領域１１８を展開する幅は、ある用途のためのロープ又はケーブルの好ましい位置をその上に印をつけることは好ましいかもしれない。
【００３４】
一度だけ適所に、ピントル１３２は、共に結合された布の両端を備え、索導器１００を分離して取り除かれる。
【００３５】
そのような領域へ継ぎ合わせループあるいはロープ又はケーブルの挿入（及び通過）を締め出すほど大きくすべきではないことを除いて、ほぐれた領域の機械方向の糸の数が、布を引き付けるために必要な強度をもたらすのに十分であるべきかを注目すべきである。
【００３６】
今、図６を簡潔に参照すると、発明の別の実施形態は番号が同様に付けられた類似の部分で示される。この実施形態では、索導器２００は索導器１００と異なり、布１１２に付くためのほぐれた領域１１６を使用する代わりに、それはジッパー２０２を使用する。この点で、ジッパー２０２の２分の１の２０４は索導器２００に付けられ、他の半分の２０６は布１１２（あるいは継ぎ合わせループ１１４）に付けられる。その後、半分は共に結合されジッパーで開閉される。
【００３７】
織ってある索導器には言及しているが、強化された及び強化されなかった紡いだ綱を含む不織布の材料も使用されるかもしれない。編んだ材料も使用することができる。三軸織り材料も使用することができる。
【００３８】
更に、設計は、以前指摘した理由のために、不適当な幅にわたって多数の索環の使用を回避する。
【００３９】
従って、本発明によって、その目的と利点は実現され、そして好ましい実施形態はここに示され、かつ詳細に記述されたが、それらの範囲はそのために制限されるべきではなく；より正確に言えば、それらの範囲は添付された特許請求の範囲のそれによって決定されるべきである。
【図面の簡単な説明】
【００４０】
【図１】従来技術の索導器の平面図を示す。
【図１ａ】引き付けられた後、図１の索導器に付けられた布の側面図を示す。
【図２】抄紙中に使用されるプレスセクションを説明する側面図を示す。
【図３】抄紙中に使用される乾燥セクションを説明する側面図を示す。
【図４】本発明の好ましい実施形態の平面図を示す。
【図５】布に付けられた図４の好ましい実施形態の側面の断面図である。
【図６】代わりの実施形態の平面図を示す。
【図１】
2005530933.tif 000003
【図１ａ】
2005530933.tif 000004
【図２】
2005530933.tif 000005
【図３】
2005530933.tif 000006
【図４】
2005530933.tif 000007
【図５】
2005530933.tif 000008
【図６】
2005530933.tif 000009
【手続補正書】
【提出日】平成17年5月2日(2005.5.2)
【手続補正１】
【補正対象書類名】図面
【補正対象項目名】図４
【補正方法】変更
【補正の内容】
【図４】
2005530933.tif 000010
【手続補正２】
【補正対象書類名】図面
【補正対象項目名】図５
【補正方法】変更
【補正の内容】
【図５】
2005530933.tif 000011
【手続補正３】
【補正対象書類名】図面
【補正対象項目名】図６
【補正方法】変更
【補正の内容】
【図６】
2005530933.tif 000012
【国際調査報告】
2005530933.tif 000013
2005530933.tif 000014